(57)【要約】      （修正有）【課題】電源の確保の必要がない簡単な構成ながら競技者と観戦者の双方にカウント数を表示することができる、両面表示形式のカウント表示ボードを提供する。【解決手段】本体部２の表裏両面に互いに平行な３列のガイド部２ａ，２ｂ，２ｃを設け、各表示シート３，４，５の表裏面にカウント数を示すカウント表示シンボルを描くにあたり、裏面に描くカウント表示シンボルの数を表面に描くカウント表示シンボルのカウント数よりも１つ多いカウント数となるようにし、本体部表側のガイド部２ａ，２ｂ，２ｃから抜き取った表示シート３，４，５を本体部裏側のガイド部２ａ，２ｂ，２ｃに挿入することにより、本体部２の表側と裏側の相対応する表示シート３，４，５のカウント表示シンボルが同じカウント数を表示する。【選択図】図１
0003116250.tif 000002
【実用新案登録請求の範囲】
【請求項１】
本体部の表裏両面に互いに平行な３列のガイド部が設けられ、第１列のガイド部にはストライクカウントを表示する複数枚の表示シートが、第２列のガイド部にはボールカウントを表示する複数枚の表示シートが、第３列のガイド部にはアウトカウントを表示する複数枚の表示シートがそれぞれ抜き差し可能で重ね合わされた状態で挿入され、
各表示シートの表裏面には、カウント数を示すカウント表示シンボルが描かれ、その裏面に描かれたカウント表示シンボルの数が、表面に描かれたカウント表示シンボルのカウント数よりも１つ多いカウント数となる表示シートを必要枚数有して、本体部表側のガイド部から抜き取った表示シートを本体部裏側のガイド部に挿入することにより、本体部の表側と裏側の相対応する表示シートのカウント表示シンボルが同じカウント数を表示しうるように構成したことを特徴とする野球用カウント表示ボード。
【請求項２】
前記本体部の表裏両面における表示シートが挿入される各列の一端側の近傍に、ストライク、ボール、アウトを表す表示が各列に１つずつ本体部の表側と裏側とで相対応するように設けられたことを特徴とする請求項１に記載の野球用カウント表示ボード。
【請求項３】
前記本体部は、台座の上に設けられた支柱の上部に回動可能に取り付けられることを特徴とする請求項１に記載の野球用カウント表示ボード。
【請求項４】
本体部の表裏両面に互いに平行な２列のガイド部が設けられ、第１列のガイド部には一方のチームの得点を表示する複数枚の得点表示シートが、第２列のガイド部には他方のチームの得点を表示する複数枚の得点表示シートがそれぞれ抜き差し可能で重ね合わされた状態で挿入され、
各得点表示シートの表裏面には、得点を示す得点数字が描かれ、その裏面に描かれた得点数字が、表面に描かれた得点数字よりも１つ多い得点数字となる得点表示シートを必要枚数有して、本体部表側のガイド部から抜き取った得点表示シートを本体部裏側のガイド部に挿入することにより、本体部の表側と裏側の相対応する得点表示シートが同じ得点数字を表示しうるように構成したことを特徴とするスコア表示ボード。
【考案の詳細な説明】
【技術分野】
【０００１】
本考案は、野球やソフトボールにおけるカウント数を表示する器具等に関するものであり、特に正面のみならず背面からもカウント数を知ることができるようにしたカウント数の表示具にかかるものである。
【背景技術】
【０００２】
少年野球やサークル活動などのチームが野球やソフトボールの練習や試合を行う時には、黒板に所望のマス目を設けたようなスコアボードが使用されるが、打者ごとのカウント数を競技者や観戦者に対して表示するものはあまり存在しない。
【０００３】
そこで、プロ野球の試合が行われる球場で見かけるような電光表示タイプのカウント数表示具を小型・軽量化すれば、競技者および観戦者が一目してカウント数を知ることができるので非常に便利が良くなると思われるが、少年野球やサークル活動などのチームが練習や試合を行う場所は、学校のグラウンド、公園、河川敷の広場などであり、特に公園や河川敷においては電源の確保が難しいことから、電光表示タイプのカウント数表示具を使用することができない。
【考案の開示】
【考案が解決しようとする課題】
【０００４】
しかしながら、一球ごとに審判がコールする「ストライク」、「ボール」などを記憶するだけでは、競技者側に間違いも生じやすく、また、観戦者側にも臨場感が伝わりにくいといった問題がある。
【０００５】
本考案は、上記問題に鑑みて創案されたもので、その目的とするところは、電源の確保の必要がない簡単な構成ながら競技者と観戦者の双方にカウント数を表示することができる、野球用カウント表示ボードを提供することにある。
【課題を解決するための手段】
【０００６】
上記目的を達成するための本考案の野球用カウント表示ボードは、本体部の表裏両面に互いに平行な３列のガイド部が設けられ、第１列のガイド部にはストライクカウントを表示する複数枚の表示シートが、第２列のガイド部にはボールカウントを表示する複数枚の表示シートが、第３列のガイド部にはアウトカウントを表示する複数枚の表示シートがそれぞれ抜き差し可能で重ね合わされた状態で挿入され、各表示シートの表裏面には、カウント数を示すカウント表示シンボルが描かれ、その裏面に描かれたカウント表示シンボルの数が、表面に描かれたカウント表示シンボルのカウント数よりも１つ多いカウント数となる表示シートを必要枚数有して、本体部表側のガイド部から抜き取った表示シートを本体部裏側のガイド部に挿入することにより、本体部の表側と裏側の相対応する表示シートのカウント表示シンボルが同じカウント数を表示しうるように構成したことを特徴とするものである。
【０００７】
このような特徴を備えた本考案の野球用カウント表示ボードを使用すれば、表側のガイド部から表示シートを１枚抜き取って裏側の相対応するガイド部に挿入することで、本体部の表示両面に同じカウント数を表示させることができる。また、本考案の野球用カウント表示ボードは電源を必要としないことから、使用する場所を問わない。
【０００８】
また、本体部の表裏両面における表示シートが挿入される各列の近傍に、ストライク、ボール、アウトを表す表示を各列に１つずつ本体部の表側と裏側とで相対応するように設けると、一目しただけでカウント数を知ることができる。
【０００９】
また、本体部を台座の上に設けられた支柱の上部に回動可能に取り付けると、所望の方向へ向けてカウント数を表示させることができる。
【００１０】
また、本考案のスコア表示ボードは、本体部の表裏両面に互いに平行な２列のガイド部が設けられ、第１列のガイド部には一方のチームの得点を表示する複数枚の表示シートが、第２列のガイド部には他方のチームの得点を表示する複数枚の表示シートがそれぞれ抜き差し可能で重ね合わされた状態で挿入され、各表示シートの表裏面には、得点を示す得点数字が描かれ、その裏面に描かれた得点数字が、表面に描かれた得点数字よりも１つ多い得点数字となる表示シートを必要枚数有して、本体部表側のガイド部から抜き取った表示シートを本体部裏側のガイド部に挿入することにより、本体部の表側と裏側の相対応する表示シートが同じ得点数字を表示しうるように構成したものである。このような構成のスコア表示ボードを使用すると、両チームの総得点を本体部の表裏両面において表示させることができるほか、サッカー等の他の競技に適用することもできる。
【考案の効果】
【００１１】
本考案によれば、簡単な構成でありながら同時に表裏両面に同じカウント数やスコアを表示させることができることから、競技者のみならず観戦者も常時カウント数やスコアを知ることができる。また、電源を必要としない構成であることから、使用する場所を問わない。
【考案を実施するための最良の形態】
【００１２】
以下、本考案について、図１〜図７を用いて説明する。
【００１３】
図１〜図４は、本考案にかかる一実施の形態を示すものであり、１は野球やソフトボールにおける打者ごとのカウント数を表示するためのカウント表示ボードである。このカウント表示ボード１は、本体部２、表示シート３，４，５、台座６、及び支柱７から構成されており、本体部２と台座６と支柱７は取り外しが可能な構成となっていることから、移動や収納の際にコンパクトにまとめることができる。また、本体部２は台座６の上に取り付けられた支柱４に回動可能に取り付けられていることから、本体部２を自由に回動させることにより所望の方向に向けることができる。
【００１４】
本体部２の表面と裏面には、互いに平行な３列のガイド部２ａ，２ｂ，２ｃが設けられており、図示する例では、上段のガイド部２ａにストライクカウントを表示する表示シート３が、中段のガイド部２ｂにボールカウントを表示する表示シート４が、下段のガイド部２ｃにアウトカウントを表示する表示シート５が、それぞれ抜き差し可能に挿入されている。
【００１５】
また、各ガイド部２ａ，２ｂ，２ｃの一端側近傍には、それぞれ「ストライク」、「ボール」、「アウト」を示す「Ｓ」、「Ｂ」、「Ｏ」と表示されており、どのガイド部に挿入された表示プレートの表示内容が「ストライク」、「ボール」、あるいは「アウト」を示すのかが、一目して分かるようになっている。
【００１６】
図１および図２ａに示す例は、２ストライク、３ボール、２アウトの状態であり、ストライク用の表示シート３にはツーストライクであることを示すように２つの円形のカウント表示シンボルが描かれており、ボール用の表示シート４にはスリーボールであることを示す３つの円形のカウント表示シンボルが、アウト用の表示シート５にはツーアウトであることを示す２つの円形のカウント表示シンボルが描かれている。なお、プロ野球の電光表示板に見られるように、ストライク用のカウント表示シンボルの色を黄色、ボール用のカウント表示シンボルの色を緑色、アウト用のカウント表示シンボルの色を赤色とするとより一層識別しやすくなる。
【００１７】
図３に示すように、ストライク用およびアウト用の表示シート３，５は、表側が無地のシート、表側にカウント表示シンボルが１つ描かれたシート、および表側にカウント表示シンボルが２つ描かれたシートの３枚一組からなる。ボール用の表示シート４にあっては、これら３種類に加えて表側にカウント表示シンボルが３つ描かれたシートの４枚一組からなる。
【００１８】
更に、図４に示すように、ストライク用の表示シート３を例に挙げて説明すると、表側が無地のシート３ａの裏側３ａ'にはカウント表示シンボルが１つ描かれており、表側にカウント表示シンボルが１つ描かれたシート３ｂの裏側３ｂ'にはカウント表示シンボルが２つ描かれており、表側にカウント表示シンボルが２つ描かれたシート３ｃの裏側３ｃ'は無地となっている。なお図示を省略しているが、アウト用の表示シート５はストライク用のものと同様であり、ボール用の表示シート４にあっては、表側にカウント表示シンボルが２つ描かれたシートの裏側にはカウント表示シンボルが３つ描かれており、表側にカウント表示シンボルが３つ描かれたシートの裏側は無地となっている。
【００１９】
次に、上記の構成の野球用カウント表示ボード１の使用例を説明する。
【００２０】
ストライク、ボール、アウトともにカウントが何もない状態では、本体部２の表側のストライク用ガイド部２ａ、ボール用ガイド部２ｂ、アウト用ガイド部２ｃにそれぞれ所定枚数の表示シート３，４，５が重ね合わされた状態で挿入されている。この状態における、各ガイド部２ａ，２ｂ，２ｃに挿入された各表示シート３，４，５の重ね合わせの順序は次のとおりである。ストライク用およびアウト用の表示シート３，５にあっては、本体部２表側からみて一番手前に表側が無地で裏側にカウント表示シンボルが１つ描かれたシート（１枚目）が配置される、次に表側にカウント表示シンボルが１つ描かれ裏側にカウント表示シンボルが２つ描かれたシート（２枚目）が配置される、そして一番奥に表側にカウント表示シンボルが２つ描かれ裏側が無地となっているシート（３枚目）が配置される。ボール用の表示シート４にあっては、２枚目までは同一の順であるが２枚目の後ろに表側にカウント表示シンボルが２つ描かれ裏側にカウント表示シンボルが３つ描かれたシート（３枚目）が配置され、一番奥に表側にカウント表示シンボルが３つ描かれ裏側が無地となっているシート（４枚目）が配置される。なお、本体部２の裏側の表示シート３，４，５が挿入される箇所は無地であるために、表側に全てのシートが挿入されている状態では、表側・裏側ともに何も表示していない状態となっている。
【００２１】
仮に第１球目がストライクであったとすると、１枚目のストライク用の表示シート３をガイド部２ａから抜き取り、抜き取った表示シート３を本体部２の裏側のガイド部２ａに挿入する。この抜き差しの際に重要なことは、抜き取った表示シート３の表面３ａを本体部裏側に向けるように反転させることなく、表示シート３の表面３ａを本体部２の表面が向く方向と同じ方向に向けたまま裏側のガイド部２ａに挿入することである。つまり、表示シート３の表面３ａは本体部表側にて表示するためのものであり、本体部裏側にて表示するには表示シート３の裏面３ｂを用いるということである。
【００２２】
１枚目のストライク用の表示シート３を本体部２の表側から抜き取って、本体部２の裏側に挿入した状態では、本体部２の表側には２枚目のストライク用の表示シート３が見えており、この２枚目のストライク用の表示シート３には１ストライクを表すカウント表示シンボルが１つ描かれていることから現在のボールカウントが「１ストライク」であることが見て取れる。この時、本体部２の裏側のガイド部２ａに挿入させた１枚目のストライク用の表示シート３の裏側３ａ'（本体部２を裏側から見た時の表側）には同様に１ストライクを表すカウント表示シンボルが１つ描かれていることから、本体部２の裏側でも現在のボールカウントが「１ストライク」であることが見て取れる。
【００２３】
ボールならびにアウトの表示シート４，５もこれと同様に行えば良い。この動作を続けて行くと、図１、図２（ａ）に示すような「２ストライク、３ボール、２アウト」のいわゆるフルカウントの状態となるが、このフルカウントの状態にある本体部２を側面から見ると図２（ｃ）に示すように本体部２の表側（図の右側）に３枚目のストライク用およびアウト用の表示シート３，５、ならびに４枚目の表示シート５が残っており、本体部２の裏側（図の左側）のストライク用及びアウト用のガイド部２ａ，２ｃにはそれぞれ２枚の表示シート３，５が挿入された状態となり、ボール用ガイド部２ｂには３枚の表示シート４が挿入された状態となっている。
【００２４】
このように、ストライク用、ボール用、アウト用の表示シート３，４，５を球審のコールに合わせて本体部２の表側のガイド部２ａ，２ｂ，２ｃから抜き取って裏側のガイド部２ａ，２ｂ，２ｃに挿入することにより、野球用カウント表示ボード１の表側と裏側とにおいて容易に同じカウント数を表示して競技者や観戦者に視覚的に表示することができる。
【００２５】
なお、本実施の形態においては、上段をストライク用、中段をボール用、下段をアウト用として使用しているが、各国ごとに異なる表示形式に合わせて、上段をボール用、中段をストライク用としたりすることもできる。また、本体部２にそれぞれ「ストライク」、「ボール」、「アウト」を示す「Ｓ」、「Ｂ」、「Ｏ」と表示させずに、表示シート３，４，５だけを用いる構成としても良い。また、各表示シート３，４，５に描かれるカウント表示シンボルを「Ｓ」、［Ｂ］、「Ｏ」と表示させたりすることもできる。
【００２６】
さらに、本実施の形態においては、ストライク用およびアウト用の表示シート３，５を３枚１組、ボール用の表示シート４を４枚１組としているが、ストライク用およびボール用の表示シート３，５の３枚目、ならびにボール用の表示シート４の４枚目にあっては、本体部裏側に移動させる必要がないことから、ストライク用およびアウト用の表示シート３，５をそれぞれ２枚目までとし、ボール用の表示シート４を３枚目までとし、本体部２の表側における各表示シートが挿入される箇所に予め「２ストライク、３ボール、２アウト」の状態を示すカウント表示シンボルを描いておくようにしても良い。
【００２７】
次に本考案の他の実施の形態にかかるスコア表示ボード１０について図５〜図７を参照して説明する。このスコア表示ボード１０は、複数の競技チームがそれぞれ獲得した得点を、表側と裏側の双方に同時に表示するためのものである。
【００２８】
図５はスコア表示ボード１０の構成を示す正面図であり、本体部１１が台座１６の上に備えられた支柱１７の上部に取り付けられている。本体部１１は支柱１７に対し回動可能となっていることから、所望の方向に向けることができる。
【００２９】
本体部１１の表裏両面には互いに平行な２列のガイド部１２，１３が設けられており、例えば、本体部１１の表側の向かって左側にＡチーム用得点表示シート１４が挿入され、右側にＢチーム用得点表示シート１５が挿入される。本体部１１の表裏両面の下部にはストッパー部材１６が設けられていることから上方より挿入された得点表示シート１４，１５が下方に抜け落ちないようになっている。
【００３０】
得点表示シート１４の一部を図７に示す。表側に「２」と記載されたシート１４ａの裏側１４ａ'には「３」と記載されており、表側に「３」と記載されたシート１４ｂの裏側１４ｂ'には「４」と記載されている。つまり、裏側には表側の得点数字に１を足した得点数字が記載されており、「０」から所望の枚数を作成したものを用いる。
【００３１】
スコア表示ボード１０に用いる得点表示シート１４，１５は上記のような構成となっていることから、例えばＡチームに得点が入った場合には本体部１１表側からみて一番手前のＡチーム用得点表示シート１４を抜き取って本体部１１裏側のガイド部１２に裏表を反転させずに挿入すれば本体部１１表側と裏側とで同じスコアを表示させることができる。
【００３２】
なお、得点表示シート１４，１５に記載する得点数字は１桁に限らず、必要に応じて２桁や３桁の得点数字を記載して、「０」から順番に並べて各ガイド部にセットしておけばよい。なお、本体部１１の裏面については、得点シート１４，１５が挿入される箇所に予め「０」を記載しておけば本体部裏面に「０」を表示するためだけの得点表示シートを作成する必要がなくなる。
【００３３】
また、図５〜図６に示すように、Ａチーム用の得点表示シート１４と、Ｂチーム用の得点表示シート１５はその表示様式がそれぞれ異なることから、どちらのチームがどれだけ得点を獲得したのかが一目して分かるようになっている。
【００３４】
なお、この実施の形態においては、得点表示シート１４，１５を上方から抜き差しする方法を説明したが、抜き差しの方向はこれに限らず横からとしても良い。また、本考案のスコア表示ボード１０は、野球やソフトボールにおける得点表示手段として用いるほか、サッカーやバスケットボールなど様々なスポーツにおける得点表示手段として用いることもできる。
【産業上の利用可能性】
【００３５】
以上説明したとおり、本考案によれば、簡単な構成でありながら同時に表裏両面に同じカウント数やスコアを表示させることができることから、競技者のみならず観戦者も常時カウント数やスコアを知ることができる。また、電源を必要としない構成であることから、使用する場所を問わない。
【図面の簡単な説明】
【００３６】
【図１】本考案の一実施形態おける野球用カウント表示ボードの構成を示す斜視図である。
【図２】同野球用カウント表示ボードの構成を示す図であり、図２（ａ）は正面図、図２（ｂ）は上面図、図２（ｃ）は側面図である。
【図３】同野球用カウント表示ボードに用いる表示シートの組合せ順を示す図である。
【図４】同野球用カウント表示ボードに用いる表示シートの表面と裏面の記載内容を示す図である。
【図５】本考案の他の実施形態におけるスコア表示ボードの構成を示す正面図である。
【図６】同スコア表示ボードの一例を示す図であり、図６（ａ）は正面図、図６（ｂ）は背面図、図６（ｃ）は上面図である。
【図７】同スコア表示ボードに用いる表示シートの表面と裏面の記載内容を示す図である。
【符号の説明】
【００３７】
１    野球用カウント表示ボード
２    本体部
２ａ        ストライク用ガイド部
２ｂ        ボール用ガイド部
２ｃ        アウト用ガイド部
３    ストライク用表示シート
４    ボール用表示シート
５    アウト用表示シート
１０        スコア表示ボード
１１        本体部
１２        Ａチーム得点用ガイド部
１３        Ｂチーム得点用ガイド部
１４        Ａチーム用得点表示シート
１５        Ｂチーム用得点表示シート
１６        ストッパー部材
【図１】
0003116250.tif 000003
【図２】
0003116250.tif 000004
【図３】
0003116250.tif 000005
【図４】
0003116250.tif 000006
【図５】
0003116250.tif 000007
【図６】
0003116250.tif 000008
【図７】
0003116250.tif 000009